(57)【要約】【課題】人が移動した環境を考慮した空調負荷を算出する。【解決手段】入場者特定部１６が、履歴ＤＢ３１から取得した履歴情報に基づいて、対象区画Ｙの内在者がその直前に施設管理エリアＰ外側から入場してきた入場者か否かを特定し、空調負荷算出部１７が、内在者のうち入場者と特定されなかった第１の内在者（滞在者）に関する第１の発熱総量Ｑ１と、入場者と特定された第２の内在者（入場者）に関する第２の発熱総量Ｑ２とを合計することにより、対象区画Ｙに関する空調負荷Ｑを算出するものとし、第１の内在者の人数Ｎ１と予め設定されている第１の発熱量Ｗ１とを積算することにより第１の発熱総量Ｑ１を算出し、第２の内在者の人数Ｎ２と第１の発熱量より高い第２の発熱量Ｗ２とを積算することにより第２の発熱総量Ｑ２を算出する。【選択図】  図１
2018162890.tif 000002
【特許請求の範囲】
【請求項１】
施設管理エリア内に設けられた複数の区画のうち算出対象となる対象区画について、前記対象区画内に存在する人の総発熱量を前記対象区画の空調負荷として算出する空調負荷算出装置であって、
履歴ＤＢに蓄積されている前記施設管理エリアおよび前記区画での前記人の入出履歴を示す履歴情報を取得する情報取得部と、
前記履歴情報に基づいて、前記対象区画に存在する内在者の人数を特定する人数特定部と、
前記履歴情報に基づいて、前記内在者が空調負荷算出時点の直前に前記施設管理エリア外側から入場してきた入場者か否かを特定する入場者特定部と、
前記内在者のうち前記入場者と特定されなかった第１の内在者に関する第１の発熱総量と、前記入場者と特定された第２の内在者に関する第２の発熱総量とを合計することにより、前記対象区画に関する空調負荷を算出する空調負荷算出部とを備え、
前記空調負荷算出部は、前記第１の内在者の人数と予め設定されている第１の発熱量とを積算することにより前記第１の発熱総量を算出し、前記第２の内在者の人数と前記第１の発熱量より高い第２の発熱量とを積算することにより前記第２の発熱総量を算出する
ことを特徴とする空調負荷算出装置。
【請求項２】
施設管理エリア内に設けられた複数の区画のうち算出対象となる対象区画について、前記対象区画内に存在する人の総発熱量を前記対象区画の空調負荷として算出する空調負荷算出装置であって、
施設管理システムで検出された前記対象区画への人の入場を示す検出情報を取得するとともに、履歴ＤＢから前記施設管理エリアおよび前記区画での人の入出履歴を示す履歴情報を取得する情報取得部と、
前記検出情報および前記履歴情報に基づいて、前記対象区画に存在する内在者の人数を特定する人数特定部と、
前記検出情報および前記履歴情報に基づいて、前記検出情報が示す前記対象区画へ入場した対象者が、空調負荷算出時点の直前に前記施設管理エリア外側から入場してきた入場者か否かを特定する入場者特定部と、
前記対象区画内に存在する前記対象者以外の内在者に関する第１の発熱総量と、前記対象者に関する第２の発熱総量とを合計することにより、前記対象区画に関する空調負荷を算出する空調負荷算出部とを備え、
前記空調負荷算出部は、前記対象者以外の内在者の人数と予め設定されている第１の発熱量とを積算することにより前記第１の発熱総量を算出し、前記対象者が前記入場者である場合には前記対象者の人数と前記第１の発熱量より高い第２の発熱量とを積算することにより前記第２の発熱総量を算出し、前記対象者が前記入場者でない場合には前記対象者の人数と前記第１の発熱量とを積算することにより前記第２の発熱総量を算出する
ことを特徴とする空調負荷算出装置。
【請求項３】
請求項２に記載の空調負荷算出装置において、
前記入場者特定部は、前記内在者のうち、前記施設管理エリアへの入場から規定時間経過していない内在者を前記入場者と特定し、
前記空調負荷算出部は、前記対象者以外の内在者のうち、前記入場者と特定されなかった人数と前記第１の発熱量とを積と、前記入場者と特定された人数と前記第２の発熱量とを積の合計することにより前記第１の発熱総量を算出する
ことを特徴とする空調負荷算出装置。
【請求項４】
請求項１または請求項２に記載の空調負荷算出装置において、
前記入場者特定部は、前記施設管理エリアでの滞在時間が規定時間に達していない人を前記入場者と特定することを特徴とする空調負荷算出装置。
【請求項５】
請求項１〜請求項４のいずれかに記載の空調負荷算出装置と、
前記空調負荷算出装置で得られた空調負荷に基づいて対象空間を空調制御する空調制御装置と
を備えることを特徴とする空調制御システム。
【請求項６】
施設管理エリア内に設けられた複数の区画のうち算出対象となる対象区画について、前記対象区画内に存在する人の総発熱量を前記対象区画の空調負荷として算出する空調負荷算出方法であって、
情報取得部が、履歴ＤＢに蓄積されている前記施設管理エリアおよび前記区画での前記人の入出履歴を示す履歴情報を取得する情報取得ステップと、
人数特定部が、前記履歴情報に基づいて、前記対象区画に存在する内在者の人数を特定する人数特定ステップと、
入場者特定部が、前記履歴情報に基づいて、前記内在者が空調負荷算出時点の直前に前記施設管理エリア外側から入場してきた入場者か否かを特定する入場者特定ステップと、
空調負荷算出部が、前記内在者のうち前記入場者と特定されなかった第１の内在者に関する第１の発熱総量と、前記入場者と特定された第２の内在者に関する第２の発熱総量とを合計することにより、前記対象区画に関する空調負荷を算出する空調負荷算出ステップとを備え、
前記空調負荷算出ステップは、前記第１の内在者の人数と予め設定されている第１の発熱量とを積算することにより前記第１の発熱総量を算出し、前記第２の内在者の人数と前記第１の発熱量より高い第２の発熱量とを積算することにより前記第２の発熱総量を算出するステップとを含む
ことを特徴とする空調負荷算出方法。
【請求項７】
施設管理エリア内に設けられた複数の区画のうち算出対象となる対象区画について、前記対象区画内に存在する人の総発熱量を前記対象区画の空調負荷として算出する空調負荷算出方法であって、
情報取得部が、施設管理システムで検出された前記対象区画への人の入場を示す検出情報を取得するとともに、履歴ＤＢから前記施設管理エリアおよび前記区画での人の入出履歴を示す履歴情報を取得する情報取得ステップと、
人数特定部が、前記検出情報および前記履歴情報に基づいて、前記対象区画に存在する内在者の人数を特定する人数特定ステップと、
入場者特定部が、前記検出情報および前記履歴情報に基づいて、前記検出情報が示す前記対象区画へ入場した対象者が、空調負荷算出時点の直前に前記施設管理エリア外側から入場してきた入場者か否かを特定する入場者特定ステップと、
空調負荷算出部が、前記対象区画内に存在する前記対象者以外の内在者に関する第１の発熱総量と、前記対象者に関する第２の発熱総量とを合計することにより、前記対象区画に関する空調負荷を算出する空調負荷算出ステップとを備え、
前記空調負荷算出ステップは、前記対象者以外の内在者の人数と予め設定されている第１の発熱量とを積算することにより前記第１の発熱総量を算出し、前記対象者が前記入場者である場合には前記対象者の人数と前記第１の発熱量より高い第２の発熱量とを積算することにより前記第２の発熱総量を算出し、前記対象者が前記入場者でない場合には前記対象者の人数と前記第１の発熱量とを積算することにより前記第２の発熱総量を算出するステップとを含む
ことを特徴とする空調負荷算出方法。
【発明の詳細な説明】
【技術分野】
【０００１】
本発明は、空調制御を行う対象区画内に存在する内在者からの発熱量に基づいて、対象区画に関する空調負荷を算出するための空調負荷算出技術に関する。
【背景技術】
【０００２】
従来から、人の発熱量を考慮した空調制御システムが知られている。例えば、特許文献１には、人の移動量、活動量に応じて、吹き出し空気の風速を変更する空調制御技術が開示されている。また、特許文献２には、予め標準的な人体Ｐの発熱量Ｊをデータとして準備しておき、大空間内に存在する人数Ｎを計測して、発熱量Ｊと人数Ｎの積を求め、計算結果を発熱総量Ｚ（＝Ｊ×Ｎ）とし、空調制御に利用する空調制御技術が開示されている。さらに、特許文献３には、屋外から室内Ｒに戻ってきて汗ばんでいる要求者のＰＭＶ（快適性評価値）を向上させるように局所空調を実行し、冷風を大量に要求者に対して送る制御を行う空調制御技術が開示されている。
【先行技術文献】
【特許文献】
【０００３】
【特許文献１】特開２０１４−１４２０９８号公報
【特許文献２】特開２００１−２２１４８１号公報
【特許文献３】ＷＯ２００８／０８７９５９Ａ１
【発明の概要】
【発明が解決しようとする課題】
【０００４】
一般に、人の発熱量（代謝量）は、その人の活動量だけでなく移動した環境（屋内ｏｒ屋外）によっても変化する。しかしながら、前述した従来技術では、特許文献１によると、空間内に存在する人の移動量（活動量）は、単に移動した距離をもとに人の発熱量を計算しているので、その人が移動した環境（屋内ｏｒ屋外）については考慮されていない、という問題点がある。また、特許文献２によると、大空間内の発熱を計測するための放射センサが必要であり、特別なセンサを導入する必要があり、設備コストが大幅に増加する、という問題点がある。
【０００５】
また、特許文献３によると、人が移動した環境（屋内ｏｒ屋外）は考慮されるものの、人の位置情報はＧＰＳなどの電波を利用して測定しているため、電波の利用に適さない空間、例えば、電波の届かない空間や電波の利用が制限されている空間では、人の位置情報を測定できず、人の発熱量を正確に計算することはできない、という問題点がある。また、電波の利用に適するような空間の場合でも、ＧＰＳを利用できない人、例えばＧＰＳ機能付き端末を所有していない人や、持参し忘れた人についても、人の発熱量を正確に計算することはできない、という問題点がある。
【０００６】
本発明はこのような課題を解決するためのものであり、人が移動した環境を考慮した空調負荷を算出できる空調制御技術を提供することを目的としている。
【課題を解決するための手段】
【０００７】
このような目的を達成するために、本発明にかかる空調負荷算出装置は、施設管理エリア内に設けられた複数の区画のうち算出対象となる対象区画について、前記対象区画内に存在する人の総発熱量を前記対象区画の空調負荷として算出する空調負荷算出装置であって、履歴ＤＢに蓄積されている前記施設管理エリアおよび前記区画での前記人の入出履歴を示す履歴情報を取得する情報取得部と、前記履歴情報に基づいて、前記対象区画に存在する内在者の人数を特定する人数特定部と、前記履歴情報に基づいて、前記内在者が空調負荷算出時点の直前に前記施設管理エリア外側から入場してきた入場者か否かを特定する入場者特定部と、前記内在者のうち前記入場者と特定されなかった第１の内在者に関する第１の発熱総量と、前記入場者と特定された第２の内在者に関する第２の発熱総量とを合計することにより、前記対象区画に関する空調負荷を算出する空調負荷算出部とを備え、前記空調負荷算出部は、前記第１の内在者の人数と予め設定されている第１の発熱量とを積算することにより前記第１の発熱総量を算出し、前記第２の内在者の人数と前記第１の発熱量より高い第２の発熱量とを積算することにより前記第２の発熱総量を算出するようにしたものである。
【０００８】
また、本発明にかかる他の空調負荷算出装置は、施設管理エリア内に設けられた複数の区画のうち算出対象となる対象区画について、前記対象区画内に存在する人の総発熱量を前記対象区画の空調負荷として算出する空調負荷算出装置であって、施設管理システムで検出された前記対象区画への人の入場を示す検出情報を取得するとともに、履歴ＤＢから前記施設管理エリアおよび前記区画での人の入出履歴を示す履歴情報を取得する情報取得部と、前記検出情報および前記履歴情報に基づいて、前記対象区画に存在する内在者の人数を特定する人数特定部と、前記検出情報および前記履歴情報に基づいて、前記検出情報が示す前記対象区画へ入場した対象者が、空調負荷算出時点の直前に前記施設管理エリア外側から入場してきた入場者か否かを特定する入場者特定部と、前記対象区画内に存在する前記対象者以外の内在者に関する第１の発熱総量と、前記対象者に関する第２の発熱総量とを合計することにより、前記対象区画に関する空調負荷を算出する空調負荷算出部とを備え、前記空調負荷算出部は、前記対象者以外の内在者の人数と予め設定されている第１の発熱量とを積算することにより前記第１の発熱総量を算出し、前記対象者が前記入場者である場合には前記対象者の人数と前記第１の発熱量より高い第２の発熱量とを積算することにより前記第２の発熱総量を算出し、前記対象者が前記入場者でない場合には前記対象者の人数と前記第１の発熱量とを積算することにより前記第２の発熱総量を算出するようにしたものである。
【０００９】
また、本発明にかかる上記空調負荷算出装置の一構成例は、前記入場者特定部が、前記内在者のうち、前記施設管理エリアへの入場から規定時間経過していない内在者を前記入場者と特定し、前記空調負荷算出部は、前記対象者以外の内在者のうち、前記入場者と特定されなかった人数と前記第１の発熱量とを積と、前記入場者と特定された人数と前記第２の発熱量とを積の合計することにより前記第１の発熱総量を算出するようにしたものである。
【００１０】
また、本発明にかかる上記空調負荷算出装置の一構成例は、前記入場者特定部が、前記施設管理エリアでの滞在時間が規定時間に達していない人を前記入場者と特定するようにしたものである。
【００１１】
また、本発明にかかる空調制御システムは、前述したいずれの空調負荷算出装置と、前記空調負荷算出装置で得られた対象空間に関する空調負荷に基づいて、前記対象空間を空調制御する空調制御装置とを備えている。
【００１２】
また、本発明にかかる空調負荷算出方法は、施設管理エリア内に設けられた複数の区画のうち算出対象となる対象区画について、前記対象区画内に存在する人の総発熱量を前記対象区画の空調負荷として算出する空調負荷算出方法であって、情報取得部が、履歴ＤＢに蓄積されている前記施設管理エリアおよび前記区画での前記人の入出履歴を示す履歴情報を取得する情報取得ステップと、人数特定部が、前記履歴情報に基づいて、前記対象区画に存在する内在者の人数を特定する人数特定ステップと、入場者特定部が、前記履歴情報に基づいて、前記内在者が空調負荷算出時点の直前に前記施設管理エリア外側から入場してきた入場者か否かを特定する入場者特定ステップと、空調負荷算出部が、前記内在者のうち前記入場者と特定されなかった第１の内在者に関する第１の発熱総量と、前記入場者と特定された第２の内在者に関する第２の発熱総量とを合計することにより、前記対象区画に関する空調負荷を算出する空調負荷算出ステップとを備え、前記空調負荷算出ステップは、前記第１の内在者の人数と予め設定されている第１の発熱量とを積算することにより前記第１の発熱総量を算出し、前記第２の内在者の人数と前記第１の発熱量より高い第２の発熱量とを積算することにより前記第２の発熱総量を算出するステップとを含むものである。
【００１３】
また、本発明にかかる他の空調負荷算出方法は、施設管理エリア内に設けられた複数の区画のうち算出対象となる対象区画について、前記対象区画内に存在する人の総発熱量を前記対象区画の空調負荷として算出する空調負荷算出方法であって、情報取得部が、施設管理システムで検出された前記対象区画への人の入場を示す検出情報を取得するとともに、履歴ＤＢから前記施設管理エリアおよび前記区画での人の入出履歴を示す履歴情報を取得する情報取得ステップと、人数特定部が、前記検出情報および前記履歴情報に基づいて、前記対象区画に存在する内在者の人数を特定する人数特定ステップと、入場者特定部が、前記検出情報および前記履歴情報に基づいて、前記検出情報が示す前記対象区画へ入場した対象者が、空調負荷算出時点の直前に前記施設管理エリア外側から入場してきた入場者か否かを特定する入場者特定ステップと、空調負荷算出部が、前記対象区画内に存在する前記対象者以外の内在者に関する第１の発熱総量と、前記対象者に関する第２の発熱総量とを合計することにより、前記対象区画に関する空調負荷を算出する空調負荷算出ステップとを備え、前記空調負荷算出ステップは、前記対象者以外の内在者の人数と予め設定されている第１の発熱量とを積算することにより前記第１の発熱総量を算出し、前記対象者が前記入場者である場合には前記対象者の人数と前記第１の発熱量より高い第２の発熱量とを積算することにより前記第２の発熱総量を算出し、前記対象者が前記入場者でない場合には前記対象者の人数と前記第１の発熱量とを積算することにより前記第２の発熱総量を算出するステップとを含むものである。
【発明の効果】
【００１４】
本発明によれば、対象区画内に存在する内在者のうち、空調負荷算出時点の直前に施設管理エリアの外側から入場してきた入場者と、ある程度施設管理エリアに滞在している滞在者とが、移動した環境が異なる第１および第２の内在者として区別され、それぞれ対応する第１および第２の発熱量が適用されることになる。このため、対象区画内に存在するそれぞれの人について、それまでに移動した環境を考慮した空調負荷を算出することが可能となる。
【図面の簡単な説明】
【００１５】
【図１】第１の実施の形態にかかる空調制御システムの構成を示すブロック図である。
【図２】施設管理エリアおよび区画での人の入出場例である。
【図３】第１の実施の形態にかかる空調負荷算出処理を示すフローチャートである。
【図４】第１の実施の形態にかかる入場者の特定方法を示す説明図である。
【図５】第２の実施の形態にかかる空調負荷算出処理を示すフローチャートである。
【図６】第２の実施の形態にかかる入場者の特定方法を示す説明図である。
【発明を実施するための形態】
【００１６】
次に、本発明の実施の形態について図面を参照して説明する。
［第１の実施の形態］
まず、図１を参照して、本発明の第１の実施の形態にかかる空調制御システム１について説明する。図１は、第１の実施の形態にかかる空調制御システムの構成を示すブロック図である。
この空調制御システム１は、施設管理エリアＰ内に設けられた複数の区画Ｘ，Ｙにおける空調を、それぞれの区画の空調負荷に基づいて制御するシステムである。
【００１７】
施設管理システム３０は、一般的な入退室管理システムなど、施設での人の入出場を管理するシステムからなり、施設管理エリアＰおよび区画Ｘ，Ｙに設けられている入出ゲートＧＡ，ＧＸ，ＧＹを制御することにより、施設管理エリアＰおよび区画Ｘ，Ｙに入出場する人を管理する機能を有している。
履歴ＤＢ３１は、施設管理システム３０で得られた施設管理エリアＰおよび区画Ｘ，Ｙでの人の入出履歴を履歴情報として蓄積するデータベースである。
【００１８】
本実施の形態では、施設管理エリアＰ内２つの区画Ｘ，Ｙが設けられている場合を例として説明するが、区画の数についてはこれに限定されるものではなく、２以上であれば同様にして適用できる。施設管理エリアＰは、オフィス、学校、会社、工場など、管理対象となる施設の敷地に相当している。
【００１９】
一般的には、施設管理エリアＰの外側は、基本的には屋外であり、人の活動量が増大する環境であると見なされる。一方、施設管理エリアＰの内側の区画Ｘ，Ｙは、基本的には屋内であり、人の活動量があまり増大しない環境であると見なされる。また、入出ゲートＧＡから入出ゲートＧＸ，ＧＹまでは、基本的には屋外であるが、それほど距離は離れていない場合がほとんどであり、人の活動量があまり増大しない環境であると見なされる。
【００２０】
本発明は、このような施設管理エリアＰおよび区画Ｘ，Ｙと、人の活動量の増大に関する環境との関係に着目し、区画内に存在する内在者のうち、空調負荷算出時点の直前に施設管理エリアＰの外側から入場してきた入場者は、徒歩などの移動した環境を経てきたために発熱量が高く、ある程度施設管理エリアＰに滞在している滞在者は、移動した環境を経ていないため発熱量が低いものとして、区画の内在者からの総発熱量を求め、空調負荷として算出するようにしたものである。
【００２１】
［空調制御システム］
図１に示すように、空調制御システム１は、空調負荷算出装置１０と、得られた空調負荷に基づいて区画の空調を制御する空調制御装置２０とから構成されている。
【００２２】
空調負荷算出装置１０は、全体としてサーバ装置などの情報処理装置からなり、通信回線Ｌ１を介して入退室管理システム３０および履歴ＤＢ３１とデータ通信可能に接続されており、これら入退室管理システム３０および履歴ＤＢ３１から取得した情報に基づいて、区画Ｘ，Ｙに関する空調負荷を算出する装置である。
【００２３】
空調制御装置２０は、全体として産業用コントローラなどの制御装置からなり、通信回線Ｌ２を介して空調負荷算出装置１０とデータ通信可能に接続されており、空調負荷算出装置１０で算出された区画Ｘ，Ｙに関する空調負荷に基づいて、これら区画Ｘ，Ｙに設置されている空調機器ＶＸ，ＶＹを制御することにより、これら区画Ｘ，Ｙの空調環境を制御する装置である。
【００２４】
［空調負荷算出装置］
次に、図１を参照して、本実施の形態にかかる空調負荷算出装置１０の構成について説明する。
この空調負荷算出装置１０には、主な機能部として、通信Ｉ／Ｆ部１１、機器Ｉ／Ｆ部１２、記憶部１３、情報取得部１４、人数特定部１５、入場者特定部１６、および空調負荷算出部１７が設けられている。これら機能部のうち、情報取得部１４、人数特定部１５、入場者特定部１６、および空調負荷算出部１７は、マイクロプロセッサとプログラムとが協働してなる演算処理部により実現されている。
【００２５】
通信Ｉ／Ｆ部１１は、通信回線Ｌ１を介して施設管理システム３０や履歴ＤＢ３１とデータ通信を行う機能を有している。
機器Ｉ／Ｆ部１２は、通信回線Ｌ２を介して空調制御機器２０とデータ通信する機能を有している。
記憶部１３は、ハードディスクや半導体メモリなどの記憶装置からなり、空調負荷算出処理に用いる各種情報やプログラムを記憶する機能を有している。
【００２６】
情報取得部１４は、通信Ｉ／Ｆ部１１を介して施設管理システム３０から区画Ｘ，Ｙに設けられたゲートＧＸ，ＧＹで検出された人の入出場を示す検出情報を取得する機能と、通信Ｉ／Ｆ部１１を介して履歴ＤＢ３１に蓄積されている施設管理エリアＰおよび区画Ｘ，Ｙでの人の入出履歴を示す履歴情報を取得する機能とを有している。
【００２７】
人数特定部１５は、情報取得部１４で取得した履歴情報に基づいて、空調負荷の算出対象となる対象区画に存在する内在者の人数を特定する機能を有している。この際、履歴情報に対象区画に存在する内在者の人数が含まれる場合は、その人数を履歴情報から取得すればよい。また、履歴情報に内在者の人数が含まれていない場合は、対象区画での人の入出場に関する履歴を追跡することにより、内在者の人数を計数すればよい。
【００２８】
入場者特定部１６は、情報取得部１４で取得した履歴情報に基づいて、対象区画に存在する内在者がその直前に施設管理エリアＰの外側から入場してきた入場者か否かを特定する機能を有している。この特定方法としては、対象者が施設管理エリアＰ内に滞在している滞在時間が、予め設定されている規定時間に達しているか否かにより判定する方法がある。すなわち、ゲートＧＰから入場した時刻を履歴情報から取得し、空調負荷算出時刻との差分から滞在時間を求めることができる。規定時間については、施設管理エリアＰ外側から入場してきた入場者の発熱量が、施設管理エリアＰ内側にある程度滞在している滞在者の発熱量と同程度まで低減する時間を設定しておけばよい。
【００２９】
空調負荷算出部１７は、対象区画に存在する内在者のうち入場者特定部１６で入場者と特定されなかった第１の内在者に関する第１の発熱総量Ｑ１と、入場者と特定された第２の内在者に関する第２の発熱総量Ｑ２とを合計することにより、対象区画に関する空調負荷Ｑを算出する機能と、第１の内在者の人数Ｎ１と予め設定されている第１の発熱量Ｗ１とを積算することにより第１の発熱総量Ｑ１を算出する機能と、第２の内在者の人数Ｎ２と第１の発熱量Ｗ１より高い第２の発熱量Ｗ２とを積算することにより第２の発熱総量Ｑ２を算出する機能とを有している。
【００３０】
［第１の実施の形態の動作］
次に、図２および図３を参照して、本実施の形態にかかる空調制御システム１の動作について説明する。図２は、施設管理エリアおよび区画での人の入出場例である。図３は、第１の実施の形態にかかる空調負荷算出処理を示すフローチャートである。
ここでは、空調負荷算出装置１０が、定期的あるいは新たな人が対象区画である区画Ｙに入場した時点で、図３の空調負荷算出処理を実行することにより、区画Ｙの空調負荷を算出する場合を例として説明する。
【００３１】
図２に示すように、まず、時刻Ｔ１に人ＡがゲートＧＰを介して施設管理エリアＰに入場し、続く時刻Ｔ２に人ＡがゲートＧＸを介して区画Ｘに入場し、その後、時刻Ｔ３に人ＡがゲートＧＸを介して区画Ｘから出場した後、続く時刻Ｔ４に人ＡがゲートＧＹを介して区画Ｙに入場したものとする。
また、その後の時刻Ｔ５に人ＡがゲートＧＰを介して施設管理エリアＰに入場し、続く時刻Ｔ６に人ＡがゲートＧＹを介して区画Ｙに入場したものとし、その後の時刻ＴＭに空調負荷算出装置１０が区画Ｙの空調負荷を算出するものとする。これにより、区画Ｙの空調負荷を算出する時刻ＴＭにおいて、区画Ｙの内在者は人Ａ，Ｂの２人となる。
【００３２】
空調負荷算出装置１０において、まず、情報取得部１４は、通信Ｉ／Ｆ部１１を介して履歴ＤＢ３１に蓄積されている施設管理エリアＰおよび区画Ｘ，Ｙでの人の入出履歴を示す履歴情報を取得する（ステップ１００）。
人数特定部１５は、これに応じて情報取得部１４で取得した履歴情報に基づいて、空調負荷の算出対象となる区画Ｙに存在する内在者の人数Ｎを特定する（ステップ１０１）。
【００３３】
続いて、入場者特定部１６は、情報取得部１４で取得した履歴情報に基づいて、区画Ｙに存在する内在者がその直前に施設管理エリアＰ外側から入場してきた入場者か否かを特定する（ステップ１０２）。
図４は、第１の実施の形態にかかる入場者の特定方法を示す説明図である。ここでは、図２における人Ａ，Ｂに関する入出履歴が時系列で表示されている。特定方法としては、対象者が施設管理エリアＰ内に滞在している滞在時間が、予め設定されている規定時間ＴＰに達しているか否かにより判定するものとする。
【００３４】
この場合、人Ａの滞在時間ＴＡは、人Ａが施設管理エリアＰに入場した時刻Ｔ１から算出時刻ＴＭまでの時間ＴＭ−Ｔ１に相当し、人Ｂの滞在時間ＴＢは、人Ｂが施設管理エリアＰに入場した時刻Ｔ５から算出時刻ＴＭまでの時間ＴＭ−Ｔ５に相当する。
したがって、図４の場合、ＴＡ＞ＴＰであり、ＴＢ≦ＴＰであるため、人Ａは入場者ではなく滞在者すなわち第１の内在者であり、人Ｂは入場者すなわち第２の内在者であると特定される。
【００３５】
次に、空調負荷算出部１７は、第１の内在者の人数Ｎ１（＝１）と予め設定されている第１の発熱量Ｗ１とを積算することにより第１の発熱総量Ｑ１（＝１×Ｗ１）を算出し（ステップ１０４）、第２の内在者の人数Ｎ２（＝１）と第１の発熱量Ｗ１より高い第２の発熱量Ｗ２とを積算することにより第２の発熱総量Ｑ２（＝１×Ｗ２）を算出する（ステップ１０５）。
【００３６】
この後、空調負荷算出部１７は、第１の発熱総量Ｑ１と第２の発熱総量Ｑ２を合計することにより総発熱量Ｑ＝Ｑ１＋Ｑ２を求めて、区画Ｙに関する空調負荷として算出し（ステップ２０５）、一連の空調負荷算出処理を終了する。
【００３７】
この場合、人の標準的な発熱量をＷとした場合、第１および第２の発熱量Ｗ１，Ｗ２は、それぞれの係数α，βを用いて、Ｗ１＝α×Ｗ、Ｗ２＝β×Ｗと表すことができる。したがって、前述した空調負荷算出過程は、次の式（１）で表される。
Ｑ＝Ｑ１＋Ｑ２＝Ｎ１×Ｗ１＋Ｎ２×Ｗ２
＝（Ｎ１×α＋Ｎ２×β）×Ｗ            …（１）
【００３８】
［第１の実施の形態の効果］
このように、本実施の形態は、空調負荷産出装置１０において、入場者特定部１６が、履歴ＤＢ３１から取得した履歴情報に基づいて、対象区画Ｙの内在者がその直前に施設管理エリアＰ外側から入場してきた入場者か否かを特定し、空調負荷算出部１７が、内在者のうち入場者と特定されなかった第１の内在者（滞在者）に関する第１の発熱総量Ｑ１と、入場者と特定された第２の内在者（入場者）に関する第２の発熱総量Ｑ２とを合計することにより、対象区画Ｙに関する空調負荷Ｑを算出するものとし、第１の内在者の人数Ｎ１と予め設定されている第１の発熱量Ｗ１とを積算することにより第１の発熱総量Ｑ１を算出し、第２の内在者の人数Ｎ２と第１の発熱量より高い第２の発熱量Ｗ２とを積算することにより第２の発熱総量Ｑ２を算出するようにしたものである。
【００３９】
これにより、対象区画Ｙ内に存在する内在者のうち、空調負荷算出時点の直前に施設管理エリアＰの外側から入場してきた入場者と、ある程度施設管理エリアＰに滞在している滞在者とが、移動した環境が異なる第１および第２の内在者として区別され、それぞれ対応する第１の発熱量Ｗ１および第２の発熱量Ｗ２が適用されることになる。このため、対象区画Ｙ内に存在するそれぞれの人について、それまでに移動した環境を考慮した空調負荷を算出することが可能となる。
【００４０】
［第２の実施の形態］
次に、本発明の第２の実施の形態にかかる空調制御システム１について説明する。
第１の実施の形態では、履歴ＤＢ３１から取得した履歴情報に基づいて、対象区画内に存在するすべての内在者について、入場者であるか否かを特定する場合を例として説明した。本実施の形態では、新たな人の入出場が対象区画で検出された場合、その対象者の入出場に関する検出情報を履歴ＤＢ３１ではなく施設管理システム３０から取得し、この対象者について入場者であるか否かを特定する場合について説明する。
【００４１】
すなわち、本実施の形態において、人数特定部１５は、検出情報および履歴情報に基づいて、対象区画に存在する内在者の人数を特定する機能を有している。
また、入場者特定部１６は、検出情報および履歴情報に基づいて、検出情報が示す対象区画へ入場した対象者が、空調負荷算出時点の直前に施設管理エリアＰの外側から入場してきた入場者か否かを特定する機能を有している。
【００４２】
また、空調負荷算出部１７は、対象区画内に存在する対象者以外の内在者に関する第１の発熱総量Ｑ１と、対象者に関する第２の発熱総量Ｑ２とを合計することにより、対象区画に関する空調負荷Ｑを算出する機能と、対象者以外の内在者の人数Ｎ１と予め設定されている第１の発熱量とを積算することにより第１の発熱総量Ｑ１を算出する機能と、対象者が入場者である場合には対象者の人数Ｎ２と第１の発熱量Ｗ１より高い第２の発熱量Ｗ２とを積算することにより第２の発熱総量Ｑ２を算出し、対象者が入場者でない場合には対象者の人数Ｎ２と第１の発熱量Ｗ１とを積算することにより第２の発熱総量Ｑ２を算出する機能とを有している。
【００４３】
［第２の実施の形態の動作］
次に、図２および図５を参照して、本実施の形態にかかる空調制御システム１の動作について説明する。図５は、第２の実施の形態にかかる空調負荷算出処理を示すフローチャートである。
ここでは、空調負荷算出装置１０が、新たな人が対象区画である区画Ｙに入場した時点で、図５の空調負荷算出処理を実行することにより、区画Ｙの空調負荷を算出する場合を例として説明する。なお、施設管理エリアＰおよび区画Ｘ，Ｙでの人の入出場は、図２と同様であるものとする。
【００４４】
空調負荷算出装置１０において、まず、情報取得部１４は、施設管理システム３０から通知された区画Ｙに関する検出情報を通信Ｉ／Ｆ部１１を介して受信した場合（ステップ２００）、履歴ＤＢ３１に蓄積されている施設管理エリアＰおよび区画Ｘ，Ｙでの人の入出履歴を示す履歴情報を取得する（ステップ２０１）。
人数特定部１５は、これに応じて情報取得部１４で取得した検出情報および履歴情報に基づいて、空調負荷の算出対象となる区画Ｙに存在する内在者の人数Ｎを特定する（ステップ２０２）。
【００４５】
続いて、入場者特定部１６は、情報取得部１４で取得した検出情報および履歴情報に基づいて、検出情報が示す対象区画Ｙへ入場した対象者Ｂがその直前に施設管理エリアＰ外側から入場してきた入場者か否かを特定する（ステップ２０３）。
図６は、第２の実施の形態にかかる入場者の特定方法を示す説明図である。ここでは、図２における人Ａ，Ｂに関する入出履歴が時系列で表示されている。特定方法としては、対象者が施設管理エリアＰ内に滞在している滞在時間が、予め設定されている規定時間ＴＰに達しているか否かにより判定するものとする。
【００４６】
本実施の形態では、人Ａ，Ｂが区画Ｙに入場するごとに空調負荷が算出されるため、人Ａの滞在時間ＴＡは、人Ａが施設管理エリアＰに入場した時刻Ｔ１から区画Ｙに入場した時刻Ｔ４までの時間Ｔ４−Ｔ１に相当し、人Ｂの滞在時間ＴＢは、人Ｂが施設管理エリアＰに入場した時刻Ｔ５から区画Ｙに入場した具国Ｔ６までの時間Ｔ６−Ｔ５に相当する。
したがって、図６の場合、ＴＡ＞ＴＰであり、ＴＢ≦ＴＰであるため、人Ａは入場者ではなく滞在者であり、人Ｂは入場者であると特定される。
【００４７】
次に、空調負荷算出部１７は、人Ｂが区画Ｙに入場した時刻Ｔ６にすでに区画Ｙ内に存在していた内在者ここでは人Ａの人数Ｎ１（＝１）と予め設定されている第１の発熱量Ｗ１とを積算することにより第１の発熱総量Ｑ１（＝１×Ｗ１）を算出する（ステップ２０４）。
【００４８】
続いて、空調負荷算出部１７は、入場者特定部１６により対象者Ｂが入場者であると特定された場合（ステップ２０５：ＹＥＳ）、対象者Ｂの人数Ｎ２（＝１）と第１の発熱量Ｗ１より高い第２の発熱量Ｗ２とを積算することにより第２の発熱総量Ｑ２（＝１×Ｗ２）を算出する（ステップ２０６）。
一方、入場者特定部１６により対象者Ｂが入場者ではなく滞在者であると特定された場合（ステップ２０５：ＮＯ）、対象者Ｂの人数Ｎ２（＝１）と第１の発熱量Ｗ１とを積算することにより第２の発熱総量Ｑ２（＝１×Ｗ１）を算出する（ステップ２０７）。
【００４９】
この後、空調負荷算出部１７は、第１の発熱総量Ｑ１と第２の発熱総量Ｑ２を合計することにより総発熱量Ｑ＝Ｑ１＋Ｑ２を求めて、区画Ｙに関する空調負荷として算出し（ステップ２０８）、一連の空調負荷算出処理を終了する。
【００５０】
この場合、人の標準的な発熱量をＷとした場合、第１および第２の発熱量Ｗ１，Ｗ２は、それぞれの係数α，βを用いて、Ｗ１＝α×Ｗ、Ｗ２＝β×Ｗと表すことができる。したがって、前述した空調負荷算出過程は、対象者が入場者である場合、次の式（２）で表され、対象者が入場者でない場合、次の式（３）で表される。
Ｑ＝Ｑ１＋Ｑ２＝Ｎ１×Ｗ１＋Ｎ２×Ｗ２
＝（Ｎ１×α＋Ｎ２×β）×Ｗ            …（２）
Ｑ＝Ｑ１＋Ｑ２＝Ｎ１×Ｗ１＋Ｎ２×Ｗ１
＝（Ｎ１＋Ｎ２）×α×Ｗ              …（３）
【００５１】
なお、本実施の形態では、対象者についてのみ入場者か否かを特定する場合について説明したが、第１の実施の形態を組み合わせて、内在者についても入場者か否かを特定し、それぞれに対応する発熱量を適用するようにしてもよい。
また、本実施の形態では、対象区画に人が入場した場合を例として説明したが、対使用者から人が出場した場合には、第１の実施の形態と同様に、内在者が入場者か否かを特定し、それぞれに対応する発熱量を適用すればよい。
【００５２】
［第２の実施の形態の効果］
このように、本実施の形態は、空調負荷産出装置１０において、入場者特定部１６が、施設管理システム３０からの検出情報と履歴ＤＢ３１から取得した履歴情報とに基づいて、対象区画Ｙへ新たな入場した対象者がその直前に施設管理エリアＰ外側から入場してきた入場者か否かを特定し、空調負荷算出部１７が、区画Ｙに存在していた内在者に関する第１の発熱総量Ｑ１と、対象者に関する第２の発熱総量Ｑ２とを合計することにより、対象区画Ｙに関する空調負荷Ｑを算出するものとし、内在者の人数Ｎ１と予め設定されている第１の発熱量Ｗ１とを積算することにより第１の発熱総量Ｑ１を算出し、対象者が入場者である場合には対象者の人数Ｎ２と第１の発熱量Ｗ１より高い第２の発熱量Ｗ２とを積算することにより第２の発熱総量Ｑ２を算出し、対象者が入場者でない場合には対象者の人数Ｎ２と第１の発熱量Ｗ１とを積算することにより第２の発熱総量Ｑ２を算出するようにしたものである。
【００５３】
これにより、空調負荷算出時点の直前に施設管理エリアＰの外側から入場してきた対象者と、ある程度施設管理エリアＰに滞在していた対象者とが、移動した環境が異なる滞在者および入場者として区別され、それぞれ対応する第１の発熱量Ｗ１および第２の発熱量Ｗ２が適用されることになる。このため、対象者について、それまでに移動した環境を考慮した空調負荷を算出することが可能となる。
【００５４】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【００５５】
以上で説明した各実施の形態では、人の発熱量を、それまでに移動した環境に応じて、第１の発熱量Ｗ１または第２の発熱量Ｗ２のいずれかに分類した場合を例として説明した。一般的には、空調空間の熱容量が大きく空調環境が変化するのにある程度の時間を要する。このため、空調制御で用いる空調負荷Ｑについては、あまり厳密な精度が要求されず、上記のような大まかな分類でも十分である。しかしながら、熱容量が小さいケースもまれにあり、このような場合には、空調負荷Ｑについてある程度の精度が求められる。
【００５６】
一般に、人の発熱量は、このように段階的に変化するものではなく、移動などの行動や運動を停止した時点から、時間の経過とともに徐々に低減するものであり、このような発熱量の変化は、対数関数などの近似関数で表すことができる。一方、各実施の形態では、対象区画の内在者さらには対象者ごとに、施設管理エリアＰに入場した時点からの滞在時間を算出できることを説明した。したがって、施設管理エリアＰに入場した時点からの滞在時間と近似関数とに基づいて、それぞれの人の発熱量を推定し、推定した発熱量を合計することにより、対象区画に関する空調負荷Ｑを算出してもよい。
【００５７】
例えば、上記近似関数について、滞在時間Ｔにおける発熱量をＦ（Ｔ）で表した場合、図４の例では、人Ａ，Ｂの滞在時間がＴＡ，ＴＢであるから、それぞれの発熱量はＦ（ＴＡ），Ｆ（ＴＢ）となる。したがって、空調負荷Ｑはこれら発熱量の合計であるＦ（ＴＡ）＋Ｆ（ＴＢ）で求められる。
【００５８】
また、図６の例では、時刻Ｔ４において、区画Ｙには人Ａしか存在していないため、このときの空調負荷ＱはＦ（ＴＡ）で求められる。一方、時刻Ｔ６では、区画Ｙには人Ａ，Ｂが存在し、人Ａの滞在時間はＴ６−Ｔ１となるため、それぞれの発熱量はＦ（Ｔ６−Ｔ１），Ｆ（ＴＢ）となる。したがって、空調負荷Ｑはこれら発熱量の合計であるＦ（Ｔ６−Ｔ１）＋Ｆ（ＴＢ）で求められる。
このように、近似関数を用いることにより、ある程度の精度で空調負荷Ｑを算出することが可能となる。
【符号の説明】
【００５９】
１…空調制御システム、１０空…調負荷算出装置、１１…通信Ｉ／Ｆ部、１２…機器Ｉ／Ｆ部、１３…記憶部、１４…情報取得部、１５…人数特定部、１６…入場者特定部、１７…空調負荷算出部、２０…空調制御装置、３０…設備管理システム、３１…履歴ＤＢ、Ｌ１，Ｌ２…通信回線、Ｐ…施設管理エリア、Ｘ，Ｙ…区画、ＧＰ，ＧＸ，ＧＹ…ゲート、ＶＸ，ＶＹ…空調機器。
【図１】
2018162890.tif 000003
【図２】
2018162890.tif 000004
【図３】
2018162890.tif 000005
【図４】
2018162890.tif 000006
【図５】
2018162890.tif 000007
【図６】
2018162890.tif 000008